(57)【要約】【課題】  採光性に優れ、かつ、外観上の美観が良い雪よけを提案すること。【解決手段】  雪よけとしての雨戸１は、雨戸本体２と、この雨戸本体２の固定用ビス３とを有している。雨戸本体２は、金属製の枠組４と、この枠組４によって保持されている樹脂板５とを備えている。この樹脂板５は、ポリカーボネート製の透明あるいは半透明の板である。したがって、雨戸本体２を、固定用ビス３によってサッシ１１に固定した状態であっても、外光を屋内に取り込むことができる。【選択図】  図１
2006233634.tif 000002
【特許請求の範囲】
【請求項１】
左右の垂直枠および上下の水平枠からなる枠組と、この枠組によって保持されている透明あるいは半透明の樹脂板を有していることを特徴とする雨戸。
【請求項２】
請求項１において、
前記枠組において前記左右の垂直枠および前記上下の水平枠はいずれも内側に開口しているコの字状断面に形成されており、
前記樹脂板は、前記枠組の開口の中に配置された緩衝材を介して保持されていることを特徴とする雨戸。
【請求項３】
請求項１または２において、
前記樹脂板は、波板であることを特徴とする雨戸。
【請求項４】
請求項１ないし３のいずれかにおいて、
前記左右の垂直枠には、前記樹脂板の背面に沿って接触防止用の弾性紐が掛け渡されており、
前記弾性紐は、前記左右の垂直枠に取り付けたフックなどの保持部材によって、端部が保持されている状態にあり、
前記保持部材は、２本以上の前記弾性紐を保持可能であることを特徴とする雨戸。
【請求項５】
請求項１ないし４のいずれかにおいて、
前記樹脂板は、ポリカーボネート製であることを特徴とする雨戸。
【請求項６】
請求項１ないし５のいずれかにおいて、
前記枠組の固定用ビスと、前記枠組に形成した前記固定用ビスが挿通するビス挿通孔とを有していることを特徴とする雨戸。
【請求項７】
請求項１ないし４のいずれかにおいて、
前記枠組は、建物の窓枠などに対して開閉可能な状態に取り付けるためのヒンジ機構を有していることを特徴とする雨戸。
【請求項８】
請求項１ないし５のいずれかにおいて、
前記枠組は、建物の壁面に取り付けられているサッシなどの網戸用レールに着脱可能であることを特徴とする雨戸。
【請求項９】
請求項１ないし５のいずれかに記載の雨戸と、
建物の窓枠などの外面に取り付け可能な雨戸用レールとを有し、
この雨戸用レールに沿って、前記雨戸がスライド可能となっていることを特徴とする雨戸構造。
【発明の詳細な説明】
【技術分野】
【０００１】
本発明は、雨戸に関するものであり、特に、豪雪地域の住宅のサッシに装着されている雪よけなどの雨戸に関するものである。
【背景技術】
【０００２】
豪雪地域では、屋根雪の落下による窓ガラスの破損を防止するために、１階のサッシに横長の板を複数枚、釘で打ち付けて雨戸を構成し、「雪よけ」としている。
【発明の開示】
【発明が解決しようとする課題】
【０００３】
しかしながら、かかる構造の雪よけ（雨戸）では、板によって外光が遮られ、日中であるにもかかわらず屋内が暗いという問題がある。また、外観上の美観が悪いという問題がある。さらに、着脱作業が面倒であるという問題がある。
【０００４】
ここで、一般の雨戸でも同様のことが言え、雨戸を閉めた状態では、屋内に光が差し込まない。
【０００５】
本発明の課題は、以上の問題に鑑みて、採光性に優れ、かつ、外観上の美観が良い雪よけなどの雨戸を提案することにある。また、サッシに簡単に着脱できる雪よけなどの雨戸を提案することにある。
【課題を解決するための手段】
【０００６】
上記の課題を解決するために、本発明の雨戸では、左右の垂直枠および上下の水平枠からなる枠組と、この枠組によって保持されている透明あるいは半透明の樹脂板を有していることを特徴としている。
【０００７】
本発明の雨戸では、枠組によって保持されている樹脂板が、透明あるいは半透明であるので、この樹脂板から外光を屋内に取り入れることができる。よって、本発明の雨戸は、採光性に優れている。また、外観上の美観が良い。
【０００８】
本発明において、前記枠組において前記左右の垂直枠および前記上下の水平枠はいずれも内側に開口しているコの字状断面に形成されており、前記樹脂板は、前記枠組の開口の中に配置された緩衝材を介して保持されていることが望ましい。このように構成すると、風などによって樹脂板が振動することによる騒音の発生を防止できる。
【０００９】
本発明において、前記樹脂板は、波板であることが望ましい。このように構成すると、外光を樹脂板で散乱させることができるので、屋内を明るくできる。また、樹脂板を透明に形成した場合でも、屋外から屋内を望めないという防犯上の利点もある。
【００１０】
本発明において、前記左右の垂直枠には、前記樹脂板の背面に沿って接触防止用の弾性紐が掛け渡されている。前記弾性紐は、前記左右の垂直枠に取り付けたフックなどの保持部材によって、端部が保持されている状態にあり、前記保持部材は、２本以上の前記弾性紐を保持可能であることが望ましい。このように構成すると、風圧などにより樹脂板が変形し、網戸や窓ガラスなどに接触することによる騒音の発生を防止できる。また、弾性紐は、樹脂板が接触した際、弾性変形するので、樹脂板が破損してしまうことを防止できる。さらに、台風の際など風速に応じて掛け渡す弾性紐の本数を増やせば、風圧により樹脂板が変形し、網戸や窓ガラスに接触することを確実に防止できる。
【００１１】
なお、前記樹脂板としては、耐衝撃性、耐候性、断熱性などに優れている、例えば、ポリカーボネート製の板を用いることができる。
【００１２】
次に、サッシに雨戸を簡単に着脱できるようにするためには、例えば、前記枠組の固定用ビスと、前記枠組に形成した前記固定用ビスが挿通するビス挿通孔とを有している構成を採用することができる。
【００１３】
ここで、冬期は網戸を使用しないので、本発明の雨戸を雪よけとして使用する場合には、建物の壁面に取り付けられているサッシなどの網戸用レールに着脱可能に構成すればよい。このように構成すると、網戸を着脱する要領で、雨戸を簡単に着脱することができる。
【００１４】
次に、換気などのために、雨戸を開閉可能にするには、前記枠組を、建物の窓枠などに対して開閉可能な状態に取り付けるためのヒンジ機構を介して、窓枠などに固定すればよい。
【００１５】
あるいは、建物の窓枠などの外面に雨戸用レールを取り付け、この雨戸用レールに沿って、前記雨戸をスライドさせて開閉するようにしてもよい。
【００１６】
次に、本発明による雨戸は、特に、雪よけとして用いるのに適している。
【発明の効果】
【００１７】
本発明の雨戸は、枠組によって、透明あるいは半透明の樹脂板が保持されている構成であるので、採光性に優れており、また、外観上の美観が良い。さらに、耐衝撃性、耐候性、断熱性などに優れている樹脂板を用いているので、本来の雨戸の機能である窓ガラスの破損防止の他に、屋内の熱が窓から逃げてしまうことを防止する。さらには、着脱作業を簡単に行うことができる。
【００１８】
それ故、本発明の雨戸を、豪雪地域においてサッシに取り付けられている従来の雪よけの代わりに用いれば、その効果をいかんなく発揮できる。
【発明を実施するための最良の形態】
【００１９】
以下に、図面を参照して、本発明を適用した雨戸の一例を説明する。
【００２０】
図１は、本発明を適用した雨戸を示す説明図である。図２は、図１に示す雨戸の縦断面図である。これらの図には、一般家庭などにおいて窓枠の屋外側に配置されている網戸のサッシに取り付ける場合の例を示してある。
【００２１】
本例の雨戸１は、雨戸本体２と、この雨戸本体２の固定用ビス３とを有している。雨戸本体２は、アルミニウムなどの金属製の枠組４と、この枠組４によって保持されている樹脂板５とを備えている。
【００２２】
樹脂板５は、耐衝撃性、耐候性、断熱性などに優れている透明あるいは半透明な板であり、例えば、ポリカーボネート製である。また、本例の樹脂板５は、波板であるので、透過光が散乱する。
【００２３】
枠組４は、左右の垂直枠４１、４２と上下の水平枠４３、４４からなる矩形枠組である。これら枠４１〜４４はいずれも内側に開口しているコの字状断面に形成されている。開口の中には、当該開口に沿ってコの字状に折り曲げられた状態にゴム材（緩衝材）６が挿入されており、このゴム材６を介して、樹脂板５の縁部分が保持されている。左右の垂直枠４１、４２には、樹脂板５の背面に沿って上下に２本の接触防止用のゴム紐（弾性紐）７が掛け渡されている。ゴム紐７は、その端部をそれぞれ、垂直枠４１、４２に取り付けたフック（図示せず）に引っ掛けた状態となっており、取り外しが可能である。また、フックにゴム紐７を２本以上引っ掛けることも可能となっている。
【００２４】
このように構成した雨戸本体２において、上下の水平枠４３、４４の部分には、固定用ビス３が挿通するビス挿通孔８が３つずつ形成されている。ここで、一般家庭などの窓枠は規格によりその大きさが決まっており、本例では、雨戸本体は、幅寸法が網戸１０の幅寸法と略同一に設定され、高さ寸法が網戸１０のサッシ１１の高さ寸法と略同一に設定されている。したがって、網戸１０のサッシ１１の部分に、ビス挿通孔８に対応する位置にドリルなどでネジ穴１２を形成しておき、これらのネジ穴１２に、ビス挿通孔８に差し通した固定用ビス３をねじ込めば、雨戸本体２をサッシ１１に固定できる。なお、垂直枠４１、４２に取り付けたフックがサッシ１１などに当たってしまうような場合には、スペーサ部材９を間に挟んで固定すればよい。
【００２５】
このように構成した雨戸１では、透明あるいは半透明の樹脂板５から外光を屋内に取り入れることができるので、屋内が明るい。よって、雨戸を閉めた状態では屋内が暗かった従来とは違って、雨戸を閉めた状態でも外光を屋内に取り入れることができるので、本例の雨戸１は、所定期間、雨戸を閉めたままにしなければならないような場合に適している。例えば、豪雪地域においてサッシに取り付けられている雪よけのように、冬期の間、付けっ放しにするような場合に適している。
【００２６】
また、樹脂板５として、耐衝撃性、耐候性、断熱性などに優れているポリカーボネート製のものを用いているので、本来の雨戸の機能である窓ガラスの破損防止の他に、屋内の熱が窓から逃げてしまうことを防止できる。
【００２７】
さらに、樹脂板５は、その断面形状が波形であるので、外光を散乱させることができ、屋内を明るくできる。また、樹脂板５を透明に形成した場合でも、屋外から屋内を望めないという防犯上の利点もある。
【００２８】
さらには、樹脂板５の背面に沿って接触防止用のゴム紐７が掛け渡されているので、風圧などにより樹脂板５が変形し、網戸１０などに接触することによる騒音の発生を防止できる。また、ゴム紐７は、樹脂板５が接触した際、弾性変形するので、樹脂板５が破損してしまうことを防止できる。さらに、本例では、掛け渡すゴム紐７の本数を増やすことができるので、台風の際などの風速に応じて本数を増やすことも可能である。
【００２９】
従って、本例の雨戸１を従来の雪よけの代わりに取り付けた場合に、以下に述べる利点がある。
（１）屋内が明るい。
（２）サッシに板を釘で打ち付けただけの従来の雪よけに比べて、外観上の美観が良い。
（３）固定用ビス３で固定してあるだけなので、取り外しが簡単である。
（４）雨戸１の外断熱効果により、部屋の温度が下がらない。特に、単サッシの場合に、その効果は大きい。
（５）浴室の窓に取り付けた場合、浴槽のお湯の温度が下がらないので、ボイラーの燃料が少なくて済むなど、大変経済的である。また、湯上り後の温度変化が少ないという利点もある。
【００３０】
それ故、本例の雨戸１を、豪雪地域においてサッシに取り付けられている従来の雪よけの代わりに装着する場合には、その効果をいかんなく発揮できるものである。
【００３１】
［その他の実施の形態］
なお、上記形態の雨戸１は、サッシ１１に完全に固定されてしまうので、例えば、換気をしたいような場合に不便である。このため、例えば、枠組（雨戸本体）を、ヒンジ機構を介してサッシに固定して、開閉可能とすることも可能である。
【００３２】
また、雨戸本体がスライド可能な雨戸用レールをサッシなどに固定して、雨戸本体をスライドさせて開閉するようにしてもよい。窓枠が２枚戸構成の場合には、雨戸用レールを２本用意して、２枚の雨戸本体を引違いにすればよい。重量が重くなってしまうような場合には、必要に応じて、雨戸用レールの下側に支持部材を配置すればよい。
【００３３】
さらに、雨戸を雪よけのみに使用する場合には、冬期は網戸を使用しないので、枠組を、網戸用レール（サッシ１１）に着脱可能に構成すればよい。このように構成すると、網戸を着脱する要領で、雨戸を簡単に着脱することができる。
【００３４】
次に、上記形態では、樹脂板５として、ポリカーボネート製のものを用いていたが、透明あるいは半透明で、かつ、耐衝撃性、耐候性などを備えていれば、他の樹脂材料を用いてもよいことは勿論である。
【図面の簡単な説明】
【００３５】
【図１】本発明を適用した雨戸を示す説明図である。
【図２】図１に示す雨戸の縦断面図である。
【符号の説明】
【００３６】
１  雨戸
２  雨戸本体
３  固定用ビス
４  枠組
４１、４２  垂直枠
４３、４４  水平枠
５  樹脂板
６  ゴム材（緩衝材）
７  ゴム紐（弾性紐）
８  ビス挿通孔
１０  網戸
１１  サッシ
１２  ネジ穴
【図１】
2006233634.tif 000003
【図２】
2006233634.tif 000004